(57)【要約】【課題】従来の折畳式の往復はがきに比べて、往信はがきに多くの情報を載せることができる広い紙面を有する往復はがきを提供する。【解決手段】往信用はがき１、返信用はがき２、情報を掲載するための第１の紙片３及び第２の紙片４を備えた往復はがきにおいて、返信用はがき２、情報を掲載するための第１の紙片３及び第２の紙片４が順に連設され、第２の紙片４が第１の紙片３側に折りたたまれて重ねられて疑似接着され、返信用はがき２が疑似接着されている前記第２の紙片４側に折りたたまれ、往信用はがき１が第１の紙片３に折りたたまれて重ねられて疑似接着されるとともに、折りたたまれた往信用はがき１をめくると、往信用はがき１と第１の紙片３及び第２の紙片４の３面が連続するように往信用はがき１一方の側縁が接着されている。【選択図】図２
2011068096.tif 000002
【特許請求の範囲】
【請求項１】
往信用はがき、返信用はがき、情報を掲載するための第１の紙片及び第２の紙片を備えた往復はがきにおいて、
前記返信用はがき、情報を掲載するための前記第１の紙片及び前記第２の紙片が順に連設され、
前記第２の紙片が前記第１の紙片側に折りたたまれて重ねられて疑似接着され、
返信用はがきが疑似接着されている前記第２の紙片側に折りたたまれ、
前記往信用はがきが前記第１の紙片に折りたたまれて重ねられて疑似接着されるとともに、折りたたまれた往信用はがきをめくると往信用はがきと第１の紙片及び第２の紙片の３面が連続するように前記往信用はがき一方の側縁が接着されていることを特徴とする往復はがき。
【発明の詳細な説明】
【技術分野】
【０００１】
本発明は、８面に情報を掲載し、圧着して閉じて使用する往復はがきに関する。
【背景技術】
【０００２】
発信用と返信用とを連設した往復はがきは、商品やイベントなどの情報を伝えるために利用されている。通常の往復はがきは４面あるが、２面は発信用と返信用であり、情報を載せるスペースが２面しかないので、載せる情報量が少ないという欠点があった。そこで、情報量を多く載せるため、折畳式の往復はがきが提案されている。
【０００３】
たとえば、特許文献１には、返信はがきで対応する第１シートと第２シートの葉片同士を剥離不能に接着した第３シートを断面Ｚ字状に折り畳み、２個所の対向面間に疑似接着シートを挿入し、疑似接着して一体化する往復はがきが記載されている。
【０００４】
また、特許文献２には、往信用はがきと返信用はがきが横方向に連設された往復はがきにおいて、ほぼ同一な横幅寸法を有する四紙片が折り部を介して横方向に連接されたシートと、前記シートの裏面側に形成された剥離可能な接着層と、前記折り部の内、中央に位置する折り部から２つに折り畳まれて、前記接着層により前記シートの二紙片同士がそれぞれ接着され、前記接着された一方の二紙片を往信用はがき、また他方の二紙片を返信用はがきとしてなる往復はがきが記載されている。
【先行技術文献】
【特許文献】
【０００５】
【特許文献１】特開２００３−０８９２８８号公報
【特許文献２】特開２００２−０１９３３５号公報
【発明の概要】
【発明が解決しようとする課題】
【０００６】
前記特許文献１では、シートをＺ字状に折り畳み、間に疑似接着シートを挿入して接着する必要があるので、製造に手間がかかるという問題がある。またシートが３枚なので、載せる情報量が制限される。
【０００７】
また、前記特許文献２では、一方の二紙片を往信用はがき、他方の二紙片を返信用はがきとするために往信はがきは２面となるので、伝達する情報量が制限されてくる。また、裏面前面に薄利可能な接着層を設け、折り曲げて往信用はがき返信用はがきとするために、製造に手間がかかるという問題がある。
【０００８】
そこで、本発明は、従来の折畳式の往復はがきに比べて、往信はがきに多くの情報を載せることができる広い紙面を有する往復はがきを提供するものである。
【課題を解決するための手段】
【０００９】
本発明は、往信用はがき、返信用はがき、情報を掲載するための第１の紙片及び第２の紙片を備えた往復はがきにおいて、前記返信用はがき、情報を掲載するための前記第１の紙片及び前記第２の紙片が順に連設され、前記第２の紙片が前記第１の紙片側に折りたたまれて重ねられて疑似接着され、返信用はがきが疑似接着されている前記第２の紙片側に折りたたまれ、前記往信用はがきが前記第１の紙片に折りたたまれて重ねられて疑似接着されるとともに、折りたたまれた往信用はがきをめくると、往信用はがきと第１の紙片及び第２の紙片の３面が連続するように前記往信用はがき一方の側縁が接着されていることを特徴とする。
【発明の効果】
【００１０】
本発明は、情報の掲載可能な紙面が８面あるので、多くの情報を載せることが可能となる。また、折りたたまれた往信用はがきをめくると、往信用はがきと第１の紙片及び第２の紙片の３面が連続した広い紙面となるので、ワイドな広告などの情報を掲載することが可能となる。
【図面の簡単な説明】
【００１１】
【図１】本発明の往復はがきを開いた状態を示す斜視図である。
【図２】本発明の往復はがきの折りたたみの手順を示す図である。
【発明を実施するための形態】
【００１２】
本発明の実施例を、図面を参照しながら説明する。
【実施例】
【００１３】
図１において、本発明の往復はがきは、往信用はがき１、返信用はがき２、情報を掲載するための第１の紙片３及び第２の紙片４が折りたたみ且つめくり可能に一体に連設されて構成されている。
【００１４】
往復はがきは、折り畳まれた状態では、第２の紙片４が第１の紙片３側に折りたたまれて疑似接着され、返信用はがき２が第２の紙片４に折りたたまれて重ねられ、第１の紙片３に往信用はがき１が折りたたみ且つめくり可能に重ねられている。
【００１５】
図２により、本発明の往復はがきの折りたたみの手順について説明する。なお、図２では、説明上、図２（ａ）に表示されている面を表側ｆ、下側を裏側ｂとし、折り曲げで反転しても、表側ｆ、裏側ｂのままで説明する。
【００１６】
図２（ａ）において、郵便はがきの規格縦寸法及び規格横寸法を有する往信用はがき、及びそれぞれが郵便はがきの規格縦寸法及び規格横寸法を有する返信用はがき２、情報を掲載するための第１の紙片３及び第２の紙片４が折りたたみ線５を介して連設された３枚組シートＤが準備される。
【００１７】
往信用はがきシートＡには、郵便往復はがきや往信の文字、郵便番号記載枠などが印刷され、宛て先が記入される。また、３枚組シートＤの返信用はがき２には、郵便番号枠などが印刷され、返信先が記入される。なお、図２では、返信用はがき２の返信先を記入する面は裏側ｂとなっているために表示されていない。
【００１８】
往信用はがきシートＡは裏側ｂに、３枚組シートＤの返信用はがき２は表側ｆに、第１の紙片３及び第２の紙片４はそれぞれ両面に、宣伝、お知らせなどの必要な情報が印刷されている。なお、往信用はがきシートＡ及び第２の紙片４の表側の隅には、めくる箇所の印６が印刷されている。
【００１９】
往信用はがきシートＡの裏側ｂの一方の側縁には帯状に形成されているのりしろ７に剥離不能の接着剤が塗布されている。
【００２０】
往信用はがきシートＡの裏側ｂと第１の紙片３の表側ｆの面には、それぞれ剥離可能な接着剤を全面に塗布し、往信用はがきシートＡと第１の紙片３を重ねて疑似接着できるようになっている。
【００２１】
また、３枚組シートＤの第１の紙片３の裏側ｂ、第２の紙片４の裏側ｂにも剥離可能な接着剤を全面に塗布し、第１の紙片３と第２の紙片４を重ねて疑似接着できるようになっている。
【００２２】
以上のようにして往信用はがきシートＡ及び３枚組シートＤが準備されると、まず、図２（ａ）に示すように、３枚組シートＤの第１の紙片３の返信用はがき側の折り曲げ線５に沿って往信用はがきシートＡの裏側ののりしろ７を貼着する。貼着後、往信用はがきシートＡの裏側ｂと第１の紙片３の表側とを重ね合わせ、塗布されている剥離可能な接着剤により疑似接着する。
【００２３】
次いで、図２（ｂ）に示すように、３枚組シートＤの第２の紙片４を折り曲げ線５に沿って折り曲げて第２の紙片４の裏側ｂを第１の紙片３の裏側ｂに重ねる。
【００２４】
次いで、図２（ｃ）に示すように、返信用はがき２を第２の紙片４の側に折り畳む。返信用はがき２の裏側ｂと第２の紙片４の裏側ｂは接着されないで、返信用はがき２がめくれるようになっている。
【００２５】
以上の手順により折りたたんだ往復はがきを顧客などに発信する。
【００２６】
往復はがきの受取人は、往信用はがき１及び第２の紙片４の隅に表示されているめくり箇所の印６からめくると、往信用はがき１が第１の紙片３からはがされ、第２の紙片４が第１の紙片３からはがされる。
【００２７】
往復はがきが開かれると、往信用はがき１、返信用はがき２、第１の紙片３、第２の紙片の両面に印刷されている情報を伝えることが可能となる。また、往信用はがき１を折り曲げ線５に沿ってめくると、往信用はがき１の裏側ｂと３枚組シートｄの第１の紙片３及び第２の紙片４の３面が連続しており、多くの情報を掲載することができるとともに、ワイドな広告などを掲載することが可能となる。
【符号の説明】
【００２８】
１：往信用はがき
２：返信用はがき
３：第１の紙片
４：第２の紙片
５：折りたたみ線
６：めくり箇所の印
７：のりしろ
Ａ：往信用はがきシート
Ｄ：３枚組シート
ｂ：裏側
ｆ：表側
【図１】
2011068096.tif 000003
【図２】
2011068096.tif 000004